(57)【要約】【課題】清掃箇所を的確に照らすことが可能な掃除機を提供する。【解決手段】クリーナ本体１１の内部にはダストバッグ２０が収容されるダスト室１９が区画される。クリーナ本体１１には、ダスト室１９の前側に吸込ノズル１２が設けられるとともに、ダスト室１９の後側に集塵ファン２２が設けられる。集塵ファン２２を駆動することにより、粉塵等を含んだ空気が吸込ノズル１２からダスト室１９に吸引され、ダスト室１９に流れ込む粉塵等はダストバッグ２０で除去される。そして、ダストバッグ２０を通過して濾過された空気は集塵ファン２２を経て外部に排出される。また、吸込ノズル１２の下方かつダスト室１９の前方のスペースにライトホルダ３７が設けられ、このライトホルダ３７の収容部３７ａにはライト３８が組み付けられる。これにより、吸込ノズル１２の先端方向をライト３８で照射することができ、清掃箇所を的確に照らすことが可能となる。【選択図】図２
2013070853.tif 000002
【特許請求の範囲】
【請求項１】
集塵室が内部に区画される掃除機本体と、前記集塵室の一端側に設けられる吸込ノズルと、前記集塵室の他端側に設けられる集塵ファンとを有し、前記集塵ファンを作動させて前記吸込ノズルから前記集塵室に空気を吸引する掃除機であって、
前記吸込ノズルの径方向外側、かつ前記吸込ノズルよりも大径に形成される前記集塵室の一端側に設けられ、前記吸込ノズルの先端方向を照射するライトを有することを特徴とする掃除機。
【請求項２】
集塵袋が収容される前記集塵室に連通する集塵袋脱着径路が前記掃除機本体に設けられ、前記集塵袋脱着径路を迂回させて前記ライトに配線が接続されることを特徴とする請求項１記載の掃除機。
【請求項３】
前記ライトは、使用者に把持されるグリップ部に対して逆側となる前記掃除機本体の下部に設けられることを特徴とする請求項１または２記載の掃除機。
【請求項４】
前記配線は、使用者に把持されるグリップ部に対して逆側となる前記掃除機本体の下部に設けられることを特徴とする請求項２記載の掃除機。
【請求項５】
前記ライトは前記吸込ノズルの中心線に対して平行に配置されることを特徴とする請求項１〜４のいずれか１項に記載の掃除機。
【請求項６】
前記吸込ノズルの先端部に接続され、前記ライトに端部が対向する導光部材を備える延長ノズルを有することを特徴とする請求項１〜５のいずれか１項に記載の掃除機。
【発明の詳細な説明】
【技術分野】
【０００１】
本発明は、集塵室の一端側に吸込ノズルを備える掃除機に関する。
【背景技術】
【０００２】
様々な場所に持ち運ぶことが可能な掃除機として、所謂ハンディクリーナが開発されている。ハンディクリーナの本体には集塵室が区画されており、この集塵室の前方には粉塵を吸引する吸込ノズルが設けられ、集塵室の後方にはモータ駆動される集塵ファンが設けられている(例えば、特許文献１参照)。また、集塵室には着脱自在にダストバッグが収容されており、このダストバッグによって吸引された粉塵等が捕捉されている。
【先行技術文献】
【特許文献】
【０００３】
【特許文献１】特開平９−１８７４０６号公報
【発明の概要】
【発明が解決しようとする課題】
【０００４】
ハンディクリーナの利点として、本体が小型軽量であることから手軽に持ち運びが可能となるという点が挙げられる。特に、バッテリを搭載したハンディクリーナにおいては、電源ケーブルによる使用範囲の制限が無いことから、様々な場所に持ち運ぶことが可能となっている。このため、一般家庭だけでなく建築現場等の清掃作業においても、ハンディクリーナが多く用いられている。ところで、内装工事が完了する前の建築現場等においては、照明を十分に使用できずに薄暗い中で清掃作業を行うことも多い。このため、暗い場所でも清掃箇所を的確に照らしつつ、清掃することが可能なハンディクリーナが所望されている。
【０００５】
本発明の目的は、清掃箇所を的確に照らすことが可能な掃除機を提供することにある。
【課題を解決するための手段】
【０００６】
本発明の掃除機は、集塵室が内部に区画される掃除機本体と、前記集塵室の一端側に設けられる吸込ノズルと、前記集塵室の他端側に設けられる集塵ファンとを有し、前記集塵ファンを作動させて前記吸込ノズルから前記集塵室に空気を吸引する掃除機であって、前記吸込ノズルの径方向外側、かつ前記吸込ノズルよりも大径に形成される前記集塵室の一端側に設けられ、前記吸込ノズルの先端方向を照射するライトを有することを特徴とする。
【０００７】
本発明の掃除機は、集塵袋が収容される前記集塵室に連通する集塵袋脱着径路が前記掃除機本体に設けられ、前記集塵袋脱着径路を迂回させて前記ライトに配線が接続されることを特徴とする。
【０００８】
本発明の掃除機は、前記ライトは、使用者に把持されるグリップ部に対して逆側となる前記掃除機本体の下部に設けられることを特徴とする。
【０００９】
本発明の掃除機は、前記配線は、使用者に把持されるグリップ部に対して逆側となる前記掃除機本体の下部に設けられることを特徴とする。
【００１０】
本発明の掃除機は、前記ライトは前記吸込ノズルの中心線に対して平行に配置されることを特徴とする。
【００１１】
本発明の掃除機は、前記吸込ノズルの先端部に接続され、前記ライトに端部が対向する導光部材を備える延長ノズルを有することを特徴とする。
【発明の効果】
【００１２】
本発明によれば、吸込ノズルの先端方向を照射するライトを設けるようにしたので、吸込ノズルが接近する清掃箇所を暗い場所でも確実に照らすことができ、掃除機の利便性を高めることが可能となる。しかも、吸込ノズルの径方向外側かつ吸込ノズルよりも大径に形成される集塵室の一端側にライトを設けるようにしたので、掃除機本体のデッドスペースを有効に活用してライトを設置することが可能となる。
【図面の簡単な説明】
【００１３】
【図１】(ａ)は本発明の一実施の形態である掃除機を示す側面図であり、(ｂ)は掃除機を示す底面図である。
【図２】図１(ｂ)のＡ−Ａ線に沿って掃除機の内部構造を示す断面図である。
【図３】(ａ)は吸込ノズルおよびライトホルダの断面形状を示す拡大断面図であり、(ｂ)は図３(ａ)の矢印Ａ方向から吸込ノズルおよびライトホルダを示す正面図である。
【図４】掃除機の使用状態を示す説明図である。
【図５】(ａ)および(ｂ)は掃除機の構成の一部を簡単に示す概略図である。
【図６】(ａ)および(ｂ)は本発明の他の実施の形態である掃除機の構成の一部を簡単に示す概略図であり、(ｃ)は図６(ｂ)の矢印Ａ方向から掃除機を示す概略図である。
【図７】(ａ)は吸込ノズルに接続される延長ノズルを示す側面図であり、図７(ｂ)は延長ノズルを示す底面図である。
【図８】延長ノズルを備えた掃除機の使用状態を示す説明図である。
【発明を実施するための形態】
【００１４】
以下、本発明の実施の形態を図面に基づいて詳細に説明する。図１(ａ)は本発明の一実施の形態である掃除機１０を示す側面図であり、図１(ｂ)は掃除機１０を示す底面図である。また、図２は図１(ｂ)のＡ−Ａ線に沿って掃除機１０の内部構造を示す断面図である。図１(ａ)および(ｂ)に示すように、持ち運び可能な掃除機であるハンディクリーナ１０は、クリーナ本体(掃除機本体)１１を有している。クリーナ本体１１の先端部には空気を吸引する吸込ノズル１２が設けられ、クリーナ本体１１の後端部には使用者に把持されるグリップ部１３が設けられている。清掃作業時には、使用者によってクリーナ本体１１が持ち上げられ、吸込ノズル１２の開口端１２ａが清掃箇所に近づけられる。また、吸込ノズル１２の開口端１２ａと床等の清掃面を平行にして清掃作業を容易にするため、吸込ノズル１２の開口端１２ａは斜めに切り欠かれている。なお、図１(ａ)に示すように、本明細書において、上下方向については、グリップ部１３が設けられる側を上方とし、グリップ部１３に対して逆側を下方とする。また、前後方向については、吸込ノズル１２が設けられる側を前方とし、グリップ部１３が設けられる側を後方とする。
【００１５】
図１および図２に示すように、クリーナ本体１１は、右側ハウジング１４および左側ハウジング１５によって構成されるハウジング１６と、ハウジング１６の上部に取り付けられるフロントカバー１７と、ハウジング１６の後部に取り付けられるバッテリカバー１８とを備えている。なお、ハウジング１６、フロントカバー１７およびバッテリカバー１８は、プラスチック等の合成樹脂を用いて形成されている。クリーナ本体１１の内部にはダスト室(集塵室)１９が区画されており、このダスト室１９には空気中から粉塵等を分離するダストバッグ(集塵袋)２０が着脱自在に収容されている。また、ダスト室１９に収容されるダストバッグ２０は、ハウジング１６に形成されたダストストッパ２１に固定されている。さらに、ダストバッグ２０は、不織布等を材料に用いて筒状や直方体状等の袋状に形成されており、洗浄して繰り返し使用することが可能となっている。なお、ダスト室１９に収容される集塵袋として、ダストバッグ２０に代えて使い捨ての紙パックを用いるようにしても良い。
【００１６】
クリーナ本体１１には、ダスト室１９の前側(一端側)に吸込ノズル１２が設けられるとともに、ダスト室１９の後側(他端側)に集塵ファン２２が設けられている。また、ダスト室１９と吸込ノズル１２との間には弁２３が設けられており、この弁２３によってダスト室１９から吸込ノズル１２に向かう逆流方向の流れが遮断される。また、ダスト室１９と集塵ファン２２との間には、スポンジ等を用いて構成されるフィルタ２４が装着されている。集塵ファン２２は、中心部から径方向外方に空気を案内する遠心ファンを用いて構成されている。このような集塵ファン２２を回転駆動させることにより、粉塵等を含んだ空気が吸込ノズル１２から弁２３を介してダスト室１９に吸引され、ダスト室１９に流れ込む粉塵等はダストバッグ２０で捕捉される。そして、ダストバッグ２０を通過して濾過された空気は、フィルタ２４および集塵ファン２２を経てハウジング１６の排出口２５から外部に排出される。
【００１７】
集塵ファン２２を駆動するため、集塵ファン２２の中心部には直流モータ等の電動モータ３０が接続されている。電動モータ３０に対する通電状態は、グリップ部１３の近傍に設けられる操作スイッチ３１によって制御される。なお、操作スイッチ３１は、作動時の操作位置として「ＨＩＧＨ(強)」位置と「ＬＯＷ(弱)」位置との２段階に操作可能となっている。操作スイッチ３１を「ＨＩＧＨ」位置に操作すると、電動モータ３０を高速回転させて大きな吸引力を発生させることが可能となり、操作スイッチ３１を「ＬＯＷ」位置に操作すると、電動モータ３０を低速回転させて小さな吸引力を発生させることが可能となる。また、バッテリカバー１８によって閉塞されるクリーナ本体１１の後方下部には、電動モータ３０の電源となるバッテリ３２が収容されている。バッテリ３２としては、ニカド電池やリチウムイオン電池等の二次電池を用いることが可能である。また、クリーナ本体１１には図示しない充電器が接続されるコネクタ部が設けられており、クリーナ本体１１にバッテリ３２を収容したままバッテリ３２を充電することが可能となっている。なお、クリーナ本体１１には、バッテリ３２の充電時に点灯するＬＥＤランプ３３が設けられている。
【００１８】
また、ハウジング１６にはダスト室１９と外部とを連通する開口部３４が形成されており、この開口部３４を介してダストバッグ２０を脱着することが可能となっている。すなわち、クリーナ本体１１には、ダスト室１９と外部との間でダストバッグ２０を移動可能な脱着径路(集塵袋脱着径路)３５が形成されている。さらに、ハウジング１６の開口部３４には着脱自在となるフロントカバー１７が取り付けられており、フロントカバー１７にはプッシュレバー３６が設けられている。プッシュレバー３６を開方向に操作することにより、ハウジング１６に対するフロントカバー１７のロック状態を解除することができ、フロントカバー１７を取り外すことが可能となっている。
【００１９】
さらに、図２に示すように、吸込ノズル１２の下方には、前方に開口する収容部３７ａを備えたライトホルダ３７が設けられている。すなわち、吸込ノズル１２の下方、かつ吸込ノズル１２よりも大径に形成されるダスト室１９の前方のスペースに、クリーナ本体１１を構成するライトホルダ３７が設けられている。ここで、図３(ａ)は吸込ノズル１２およびライトホルダ３７の断面形状を示す拡大断面図である。また、図３(ｂ)は図３(ａ)の矢印Ａ方向から吸込ノズル１２およびライトホルダ３７を示す正面図である。図３(ａ)および(ｂ)に示すように、ライトホルダ３７の収容部３７ａにはＬＥＤ(発光ダイオード)等のライト３８が組み付けられており、吸込ノズル１２の先端方向(前方)をライト３８で照射することが可能となっている。また、ライトホルダ３７の収容部３７ａ内には固定リブ３７ｂが張り出しており、この固定リブ３７ｂを用いてライト３８が位置決め固定される。ライト３８をライトホルダ３７の収容部３７ａに挿入しつつ、ライト３８の後端部を固定リブ３７ｂに対して突き当てることにより、ライト３８は吸込ノズル１２の中心線Ｃ１に平行となるように固定されている。すなわち、ライト３８の光軸Ｃ２と吸込ノズル１２の中心線Ｃ１とが互いに平行となっている。なお、図２に示すように、図示するハンディクリーナ１０においては、吸込ノズル１２の中心線Ｃ１と電動モータ３０の中心軸Ｃ３とが互いに平行となっている。
【００２０】
図４はハンディクリーナ１０の使用状態を示す説明図である。前述したように、クリーナ本体１１に対して吸込ノズル１２の先端方向を照射するライト３８を設けるようにしたので、図４に示すように、吸込ノズル１２が接近する清掃箇所を暗い場所でも確実に照らすことができ、ハンディクリーナ１０の利便性を高めることが可能となる。また、吸込ノズル１２の下方、つまりグリップ部１３とは逆側となるクリーナ本体１１の下部４０にライト３８を設けるようにしたので、ライト３８の光が吸込ノズル１２によって遮られることがなく、吸込ノズル１２が接近する清掃箇所を確実に照らすことが可能となる。また、ライト３８を吸込ノズル１２の中心線Ｃ１に対して平行に配置するようにしたので、ライト３８の光が吸込ノズル１２によって遮られることがなく、吸込ノズル１２が接近する清掃箇所を確実に照らすことが可能となる。
【００２１】
しかも、吸込ノズル１２の下方かつダスト室１９の前方のスペースにライト３８を配置したので、クリーナ本体１１のデッドスペースを有効に活用してライト３８を配置することが可能となる。すなわち、図２に示すように、クリーナ本体１１の下部４０にライト３８を設置した場合であっても、ライト３８を取り付けることでクリーナ本体１１の底壁４１に凸部を形成してしまうことがなく、クリーナ本体１１の底壁４１をほぼ平らに形成することが可能となる。これにより、ハンディクリーナ１０を床面に置く場合であっても、ハンディクリーナ１０を安定して置くことが可能となる。また、図１(ｂ)および図２に示すように、クリーナ本体１１の後方下部には略Ｕ字状のフック４２が取り付けられており、このフック４２を用いてハンディクリーナ１０を壁面等に吊り下げることが可能となっている。このように、ハンディクリーナ１０を吊り下げる場合であっても、クリーナ本体１１の底壁４１がほぼ平らに形成されることから、ハンディクリーナ１０を安定して吊り下げることが可能となる。
【００２２】
ここで、図５(ａ)および(ｂ)はハンディクリーナ１０の構成の一部を簡単に示す概略図である。図２および図５(ａ)に示すように、電動モータ３０の上方にはバッテリ３２等が接続される制御基板４３が設けられており、この制御基板４３とライト３８とは配線４４を介して接続されている。ライト３８に接続される配線４４は、制御基板４３の下面４３ａからハウジング１６の底壁４１に向けて案内され、ハウジング１６の底壁４１に沿って前方のライト３８に向けて案内されている。すなわち、ライト３８に接続される配線４４は、ダストバッグ２０の脱着径路３５を迂回するようにクリーナ本体１１の下部４０に集約されている。このように、ダストバッグ２０の脱着径路３５を迂回するように配線４４を設けることにより、図５(ｂ)に示すように、配線４４に干渉されることなくダストバッグ２０を脱着することが可能となる。さらに、クリーナ本体１１の下部４０に配線４４を設けるようにしたので、クリーナ本体１１の内部パーツに対して配線４４が干渉することが無く、ダスト室１９から集塵ファン２２に向かう空気の流れを配線４４によって阻害することも無い。
【００２３】
前述の説明では、吸込ノズル１２の下方にライト３８を設置しているが、これに限られることはなく、吸込ノズル１２の径方向外側の他の位置にライト３８を設置しても良い。ここで、図６(ａ)および(ｂ)は本発明の他の実施の形態であるハンディクリーナ(掃除機)５０，５１の構成の一部を簡単に示す概略図である。また、図６(ｃ)は図６(ｂ)の矢印Ａ方向からハンディクリーナ５１を示す概略図である。なお、図６において、図５に示す部材と同一の部材については、同一の符号を付してその説明を省略する。図６(ａ)に示すように、吸込ノズル１２の上方かつダスト室１９の前方のスペースにライト３８を配置しても良い。また、図６(ｂ)および(ｃ)に示すように、吸込ノズル１２の径方向外側かつダスト室１９の前方のスペースにライト３８を配置する構造であれば、吸込ノズル１２を囲むように複数のライト３８を周方向に配置しても良い。このように、吸込ノズル１２の下方以外にライト３８を配置する場合であっても、ライト３８によって吸込ノズル１２の先端方向を照射することができるため、清掃箇所を確実に照らしてハンディクリーナ５０，５１の利便性を高めることが可能となる。
【００２４】
続いて、本発明の他の実施の形態であるハンディクリーナ(掃除機)５２について説明する。図７(ａ)は吸込ノズル１２に接続される延長ノズル５３を示す側面図であり、図７(ｂ)は延長ノズル５３を示す底面図である。また、図８は延長ノズル５３を備えたハンディクリーナ５２の使用状態を示す説明図である。
【００２５】
図７(ａ)および(ｂ)に示すように、ハンディクリーナ５２に装着される延長ノズル５３は、吸込ノズル１２の先端部である開口端１２ａに接続される延長パイプ５４と、延長パイプ５４の先端に回動自在に取り付けられる床用ヘッド５５とを備えている。また、延長パイプ５４には２つのホルダ５６，５７が装着されており、これらのホルダ５６，５７には延長パイプ５４の基端部から先端部にかけて延びる導光部材５８が保持されている。導光部材５８は、延長パイプ５４の径方向の一方に設けられる入力部５８ａと、延長パイプ５４の径方向の他方に設けられる出力部５８ｂと、入力部５８ａと出力部５８ｂとを繋ぐ環状の接続部５８ｃとを有している。導光部材５８には、プラスチック製やガラス製の光ファイバーが内蔵されており、入力部５８ａから接続部５８ｃを介して出力部５８ｂに光を導くことが可能となっている。図８に示すように、クリーナ本体１１の吸込ノズル１２に対して延長ノズル５３を接続すると、導光部材５８の入力部５８ａの端面がクリーナ本体１１のライト３８に対向して配置される。すなわち、ライト３８から照射された光は、導光部材５８の出力部５８ｂの端面から床用ヘッド５５の進行方向に照射されることになる。このように、クリーナ本体１１に延長ノズル５３を接続して使用する場合であっても、延長ノズル５３に対して導光部材５８を設けることにより、クリーナ本体１１に設けられるライト３８を有効に活用することが可能となる。なお、導光部材５８を支持するホルダ５６には、吸込ノズル１２に装着して使用される隙間ノズル５９が保持されている。
【００２６】
本発明は前記実施の形態に限定されるものではなく、その要旨を逸脱しない範囲で種々変更可能であることはいうまでもない。例えば、図示するハンディクリーナ１０，５０〜５２は、クリーナ本体１１にバッテリ３２が収容されるコードレス型のハンディクリーナであるが、これに限られることはなく、コンセントに電源コードを接続して使用されるハンディクリーナに対して本発明を適用しても良い。また、吸込ノズル１２の中心線Ｃ１に対してライト３８の光軸Ｃ２を平行に配置することが好ましいが、中心線Ｃ１に対してライト３８の光軸Ｃ２が厳密に平行である必要はなく、吸込ノズル１２の先端方向が照射されるようにライト３８が配置されていれば良いことはいうまでもない。さらに、図７に示す導光部材５８は、棒状の入力部５８ａ、棒状の出力部５８ｂ、環状の接続部５８ｃによって構成されているが、これに限られることはなく、他の構造であっても良いことはいうまでもない。さらに、前述の説明では、集塵ファン２２を遠心ファンによって構成しているが、これに限られることはなく、軸流ファン等を用いて集塵ファン２２を構成しても良い。
【符号の説明】
【００２７】
１０…ハンディクリーナ(掃除機)、１１…クリーナ本体(掃除機本体)、１２…吸込ノズル、１２ａ…開口端、１３…グリップ部、１４…右側ハウジング、１５…左側ハウジング、１６…ハウジング、１７…フロントカバー、１８…バッテリカバー、１９…ダスト室(集塵室)、２０…ダストバッグ(集塵袋)、２１…ダストストッパ、２２…集塵ファン、２３…弁、２４…フィルタ、２５…排出口、３０…電動モータ、３１…操作スイッチ、３２…バッテリ、３３…ＬＥＤランプ、３４…開口部、３５…脱着径路(集塵袋脱着径路)、３６…プッシュレバー、３７…ライトホルダ、３７ａ…収容部、３７ｂ…固定リブ、３８…ライト、４０…下部、４１…底壁、４２…フック、４３…制御基板、４３ａ…下面、４４…配線、５０〜５２…ハンディクリーナ(掃除機)、５３…延長ノズル、５４…延長パイプ、５５…床用ヘッド、５６，５７…ホルダ、５８…導光部材、５８ａ…入力部、５８ｂ…出力部、５８ｃ…接続部、Ｃ１…中心線、Ｃ２…光軸、Ｃ３…中心軸
【図１】
2013070853.tif 000003
【図２】
2013070853.tif 000004
【図３】
2013070853.tif 000005
【図４】
2013070853.tif 000006
【図５】
2013070853.tif 000007
【図６】
2013070853.tif 000008
【図７】
2013070853.tif 000009
【図８】
2013070853.tif 000010